(57)【要約】【課題】端子数が少なく、かつ、外部電極形成工程が少なくて済む積層型セラミック電子部品及びＬＣノイズフィルタを得る。【解決手段】第１内部電極３ａと浮遊容量分配電極４を表面に設けた複数の誘電体セラミックグリーンシート２Ａ、第２内部電極３ｂを表面に設けた複数の誘電体セラミックグリーンシート２Ｂ、電極を形成していない外層用誘電体セラミックグリーンシート６，７にて構成された積層型セラミック電子部品。積層体の表面には、第１内部電極３ａごとに互いに独立しかつ電気的に接続した複数の第１外部電極が設けられるとともに、第２内部電極３ｂ及び浮遊容量分配電極４に電気的に接続した第２外部電極が設けられている。【選択図】図１
2007220874.tif 000002
【特許請求の範囲】
【請求項１】
複数のセラミック層を積層した積層体と、
第１セラミック層上に互いに重なることのないように設けられている複数の第１内部電極と、
第２セラミック層上に設けられ、セラミック層を間にして前記第１内部電極と重なるように配置されている複数の第２内部電極と、
前記第１セラミック層上であって前記第１内部電極間に設けられている浮遊容量分配電極と、
前記積層体の表面に、前記第１内部電極ごとに互いに独立しかつ電気的に接続した状態で設けられている複数の第１外部電極と、
前記積層体の表面に、前記第２内部電極及び前記浮遊容量分配電極に電気的に接続した状態で設けられている第２外部電極と、
を備えたことを特徴とする積層型セラミック電子部品。
【請求項２】
前記積層体は対向する第１側面と第２側面を有し、前記第１外部電極は前記第１側面上に設けられ、前記第２外部電極は前記第２側面上に設けられていることを特徴とする請求項１に記載の積層型セラミック電子部品。
【請求項３】
請求項１又は請求項２のいずれかに記載の積層型セラミック電子部品がセラミックコンデンサであり、前記第２外部電極がグランドに電気的に接続された前記セラミックコンデンサと、前記第１外部電極に電気的に接続されたコイルとで構成されていることを特徴とするＬＣノイズフィルタ。
【発明の詳細な説明】
【技術分野】
【０００１】
本発明は、複数のセラミック層を積層した積層体からなる積層型セラミック電子部品及びＬＣノイズフィルタに関する。
【背景技術】
【０００２】
従来より、積層型セラミック電子部品として、特許文献１に記載されたものが知られている。この積層型セラミック電子部品は、複数個のコンデンサが構成されている誘電体セラミック素体内における隣接したコンデンサ間に、外部に設けられたグランド端子と接続されるガード導電体が内設されている。
【０００３】
しかしながら、特許文献１に記載の積層型セラミック電子部品は、グランド接続用の外部電極が必要であり、その分だけ製造コストがかかる。また、外部電極が三つあるので、回路基板上にグランド外部電極接続用ランド電極が必要とされている。さらに、端子数が通常のバイパスコンデンサより多いので、実装用ペーストが余分に必要であるという問題点を有している。
【特許文献１】実開平６−２６７１号公報
【発明の開示】
【発明が解決しようとする課題】
【０００４】
そこで、本発明の目的は、端子数が少なく、かつ、外部電極形成工程が少なくて済む積層型セラミック電子部品及びＬＣノイズフィルタを提供することにある。
【課題を解決するための手段】
【０００５】
前記目的を達成するため、本発明に係る積層型セラミック電子部品は、
複数のセラミック層を積層した積層体と、
第１セラミック層上に互いに重なることのないように設けられている複数の第１内部電極と、
第２セラミック層上に設けられ、セラミック層を間にして前記第１内部電極と重なるように配置されている複数の第２内部電極と、
前記第１セラミック層上であって前記第１内部電極間に設けられている浮遊容量分配電極と、
前記積層体の表面に、前記第１内部電極ごとに互いに独立しかつ電気的に接続した状態で設けられている複数の第１外部電極と、
前記積層体の表面に、前記第２内部電極及び前記浮遊容量分配電極に電気的に接続した状態で設けられている第２外部電極と、
を備えたことを特徴とする。
【０００６】
本発明に係る積層型セラミック電子部品においては、端子が第１外部電極と第２外部電極とで構成されている、端子数が少ないバイパスコンデンサが得られる。
【０００７】
本発明に係る積層型セラミック電子部品において、積層体は対向する第１側面と第２側面を有し、第１外部電極は第１側面上に設けられ、第２外部電極は第２側面上に設けられていることが好ましい。これにより、外部電極形成工程が少なくなり、生産性が向上する。
【０００８】
また、本発明に係るＬＣノイズフィルタは、前記積層型セラミック電子部品がセラミックコンデンサであり、第２外部電極がグランドに電気的に接続された前記セラミックコンデンサと、第１外部電極に電気的に接続されたコイルとで構成されている。
【発明の効果】
【０００９】
本発明によれば、端子数が少ないので、実装用ペーストを少なくできる。そして、この積層型セラミック電子部品をバイパスコンデンサとして使用する場合、回路基板側でパターン変更することなく、優れたノイズ特性が得られる。また、外部電極形成工程が少なくなり、積層型セラミック電子部品の生産性が向上する。
【発明を実施するための最良の形態】
【００１０】
以下、本発明に係る積層型セラミック電子部品及びＬＣノイズフィルタの実施例について添付図面を参照して説明する。なお、図面において斜線を付した部分は導電体であることを示している。
【００１１】
（第１実施例、図１〜図５参照）
本発明に係る積層型セラミック電子部品の第１実施例（ノイズ除去用途の積層型セラミックコンデンサ１）を図１〜図３に示す。この積層型セラミックコンデンサ１は、図１に示すように、第１内部電極３ａ，３ａと浮遊容量分配電極４を表面に設けた複数の誘電体セラミックグリーンシート２Ａ、第２内部電極３ｂを表面に設けた複数の誘電体セラミックグリーンシート２Ｂ、電極を形成していない外層用誘電体セラミックグリーンシート６，７にて構成されている。
【００１２】
第１内部電極３ａ，３ａは、誘電体セラミックグリーンシート２Ａの奥側の辺から手前側に向かって所定の間隔で帯状に延在している。浮遊容量分配電極４は、シート２Ａの手前側から奥側に向かって、第１内部電極３ａ，３ａの間に配置されている。第２内部電極３ｂは、幅広であって、誘電体セラミックグリーンシート２Ｂの手前側から奥側に向かって延在しており、第１内部電極３ａ，３ａ及び浮遊容量分配電極４と誘電体セラミックグリーンシート２Ａ又は２Ｂを介して重なっている。
【００１３】
誘電体セラミックグリーンシート２Ａ，２Ｂ，６，７は、誘電体原料粉末を結合剤などとともに混練したものをシート状にしたものが使用される。電極３ａ，３ｂ，４はＡｇを主成分とする導体ペーストを用いて印刷法やフォトリソグラフィ法などにより形成される。
【００１４】
誘電体セラミックグリーンシート２Ａ，２Ｂ，６，７は積み重ねられた後、一体的に焼成され、図２に示す積層体８とされる。この積層体８において、側面８ａには第２内部電極３ｂの一端部と浮遊容量分配電極４の一端部が露出し、側面８ｂには第１内部電極３ａの一端部が露出している。
【００１５】
この後、図３に示すように、積層体８の奥側の側面８ｂに、第１内部電極３ａごとに互いに独立しかつ電気的に接続した状態で、第１外部電極１１，１１が設けられる。さらに、積層体８の手前側の側面８ａに、第２内部電極３ｂ及び浮遊容量分配電極４に電気的に接続した状態で、第２外部電極（グランド外部電極）１２が設けられる。図４に、積層体８の内部−外部電極構造を示す。
【００１６】
こうして得られた積層型セラミックコンデンサ１は、第１内部電極３ａと第２内部電極３ｂの間に静電容量が形成され、コンデンサアレイを構成する。さらに、第１内部電極３ａと浮遊容量分配電極４の間に浮遊容量Ｃｓが形成される。そして、端子数が少ないので実装用ペーストが少なくて済む。
【００１７】
さらに、図４に示すように、積層型セラミックコンデンサ１の第１外部電極１１，１１相互間にコイルＬを電気的に接続することにより、この積層型セラミックコンデンサ１をバイパスコンデンサとして使用する場合、回路基板側でパターン変更することなく、優れたノイズ特性が得られる。
【００１８】
即ち、この場合、積層型セラミックコンデンサ１は、コイルＬと共に図５（Ａ）に示す等価回路のＬＣノイズフィルタを構成する。この等価回路は図５（Ｂ）に示す回路と等価であり、浮遊容量Ｃｓは分配される。この結果、積層型セラミックコンデンサ１とコイルＬはπ型のＬＣノイズフィルタを構成することとなり、見かけ上の浮遊容量が減り、効率よくノイズを除去することができる。
【００１９】
（第２実施例、図６〜図８参照）
本発明に係る積層型セラミック電子部品の第２実施例（ノイズ除去用途の積層型セラミックコンデンサ２０）を図６〜図８に示す。この積層型セラミックコンデンサ２０は、図６に示すように、第１内部電極２３ａ，２３ａと浮遊容量分配電極２４とダミー電極２５ａ，２５ｂを表面に設けた複数の誘電体セラミックグリーンシート２２Ａ、第２内部電極２３ｂとダミー電極２５ｃを表面に設けた複数の誘電体セラミックグリーンシート２２Ｂ、電極を形成していない外層用誘電体セラミックグリーンシート２６，２７にて構成されている。
【００２０】
第１内部電極２３ａ，２３ａは、誘電体セラミックグリーンシート２２Ａの右辺から左方に向かって所定の間隔で延在している。浮遊容量分配電極２４は、シート２２Ａの左辺から右方に向かって、第１内部電極２３ａ，２３ａの間に配置されている。ダミー電極２５ａはシート２２Ａの左辺に配置され、ダミー電極２５ｂはシート２２Ａの右辺に浮遊容量分配電極２４の他端に対向して配置されている。
【００２１】
第２内部電極２３ｂは、幅広であって、誘電体セラミックグリーンシート２２Ｂの左辺から右辺に向かって延在しており、第１内部電極２３ａ，２３ａ及び浮遊容量分配電極２４と誘電体セラミックグリーンシート２２Ａ又は２２Ｂを介して重なっている。ダミー電極２５ｃはシート２２Ｂの右辺に配置されている。
【００２２】
誘電体セラミックグリーンシート２２Ａ，２２Ｂ，２６，２７の材料、電極２３ａ，２３ｂ，２４，２５ａ，２５ｂ，２５ｃの材料やその形成方法は、前記第１実施例と同様である。
【００２３】
誘電体セラミックグリーンシート２２Ａ，２２Ｂ，２６，２７は積み重ねられた後、一体的に焼成され、図７に示す積層体２８とされる。この積層体２８において、側面２８ａには第２内部電極２３ｂの一端部と浮遊容量分配電極２４の一端部とダミー電極２５ａの一端部が露出している。また、側面２８ｂには第１内部電極２３ａの一端部とダミー電極２５ｂ，２５ｃの一端部が露出している。
【００２４】
この後、図８に示すように、積層体２８の側面２８ｂに、第１内部電極２３ａごとに互いに独立しかつ電気的に接続した状態で、第１外部電極３１，３１が設けられる。ダミー電極２５ｃは第１外部電極３１と電気的に接続され、ダミー電極２５ｂは第１外部電極３１と接続されることはなく、浮き電極となっている。さらに、積層体２８の側面２８ａに、第２内部電極２３ｂ及び浮遊容量分配電極２４に電気的に接続した状態で、第２外部電極（グランド外部電極）３２が設けられる。ダミー電極２５ａは第２外部電極３２と電気的に接続される。
【００２５】
こうして得られた積層型セラミックコンデンサ２０は、前記第１実施例と同様に、第１内部電極２３ａと第２内部電極２３ｂの間に静電容量が形成され、コンデンサアレイを構成する。さらに、第１内部電極２３ａと浮遊容量分配電極２４の間に浮遊容量（第１実施例の図５に示すＣｓと等価である）が形成される。
【００２６】
そして、積層型セラミックコンデンサ２０の第１外部電極３１，３１相互間にコイルを電気的に接続することにより、この積層型セラミックコンデンサ２０をバイパスコンデンサとして使用できる。コイルを接続した積層型セラミックコンデンサ２０は、基本的には図５（Ａ），（Ｂ）に示す等価回路と同様のＬＣノイズフィルタを構成する。従って、本第２実施例の作用効果は前記第１実施例と基本的に同じである。さらに、本第２実施例では、ダミー電極２５ａ，２５ｂ，２５ｃを設けることによって、積層体２８の歪みが少なくなるとともに、積層によって累積した内部電極２３ａ，２３ｂの厚みによる段差を解消し、デラミネーションやクラックの発生が防止される。
【００２７】
（他の実施例）
なお、本発明に係る積層型セラミック電子部品及びＬＣノイズフィルタは前記実施例に限定するものではなく、その要旨の範囲内で種々に変更することができる。
【００２８】
例えば、前記実施例でコイルＬは外付け構造になっているが、積層型セラミックコンデンサ１，２０に内蔵されていてもよい。
【図面の簡単な説明】
【００２９】
【図１】本発明に係る積層型セラミック電子部品の第１実施例を示す分解斜視図。
【図２】第１実施例の積層体を示す外観斜視図。
【図３】第１実施例の外観斜視図。
【図４】第１実施例の内部構成図。
【図５】第１実施例とコイルにて構成されたＬＣノイズフィルタの電気等価回路図。
【図６】本発明に係る積層型セラミック電子部品の第２実施例を示す分解斜視図。
【図７】第２実施例の積層体を示す外観斜視図。
【図８】第２実施例の外観斜視図。
【符号の説明】
【００３０】
１，２０…積層型セラミックコンデンサ
２Ａ，２Ｂ，２２Ａ，２２Ｂ…誘電体セラミックグリーンシート
３ａ，２３ａ…第１内部電極
３ｂ，２３ｂ…第２内部電極
４，２４…浮遊容量分配電極
８，２８…積層体
８ａ，８ｂ，２８ａ，２８ｂ…側面
１１，３１…第１外部電極
１２，３２…第２外部電極
Ｌ…コイル
【図１】
2007220874.tif 000003
【図２】
2007220874.tif 000004
【図３】
2007220874.tif 000005
【図４】
2007220874.tif 000006
【図５】
2007220874.tif 000007
【図６】
2007220874.tif 000008
【図７】
2007220874.tif 000009
【図８】
2007220874.tif 000010